(57)【要約】      （修正有）【課題】側桁の断面がコの字形とし、そしてサイドキャップを横桟の先端部に装着したことにより、軽量であり、しかも製造が容易かつ低コストである合成樹脂製梯子を提供する。【解決手段】側桁１は２つのフランジ部とウェブ部からなる断面コの字形とし、パイプ状横桟２の先端部が側桁１のウェブ部に形成された孔を貫通して側桁の２つのフランジ部の間に突出させ、該突出するパイプ状横桟２の先端部の内径に合致する外径を有したパイプ状の突出部を有するサイドキャップ３を、該サイドギャップ３の突出部がパイプ状横桟２の先端部に嵌合するように、パイプ状横桟２の先端部に装着し、横桟２およびサイドキャップ３がロッドピン４により固定する。【選択図】図２
0003204731.tif 000002
【実用新案登録請求の範囲】
【請求項１】
両側桁とその間に複数のパイプ状横桟を配置して構成した合成樹脂製梯子において、側桁は２つのフランジ部とウェブ部からなる断面コの字形であり、パイプ状横桟の先端部が側桁のウェブ部に形成された孔を貫通して側桁の２つのフランジ部の間に突出し、該突出するパイプ状横桟の先端部の内径に合致する外径を有した筒状の突出部を有するサイドキャップが、該サイドギャップの突出部がパイプ状横桟の先端部の内径に嵌合するように、パイプ状横桟の先端部に装着され、側桁、横桟およびサイドキャップがロッドピンにより固定されていることを特徴とする合成樹脂製梯子。
【請求項２】
前記の側桁とパイプ状横桟とサイドキャップとがＦＲＰ製であることを特徴とする請求項１に記載の合成樹脂製梯子。
【請求項３】
前記パイプ状横桟の断面外周が菊形であることを特徴とする請求項１又は２に記載の合成樹脂製梯子。
【請求項４】
前記パイプ状横桟の足掛け部にリング状の反射板を備えることを特徴とする請求項１〜３のいずれか一項に記載の合成樹脂製梯子。
【考案の詳細な説明】
【技術分野】
【０００１】
本考案は、合成樹脂製梯子、とりわけ貯水槽や防火槽などにおいて使用されるのに好適な合成樹脂製梯子に関するものである。
【背景技術】
【０００２】
貯水槽や防火槽は、定期的に清掃や点検が行われるが、その際、作業員がポンプや清掃用具、送風機などを搬入して作業を行う。槽の深さは４ｍに達するものもあり、作業者は梯子を利用して繰り返し昇降しなければならない。梯子は清掃や点検のたびに架設したり、引き上げたりするので、軽量のものが望ましい。
特許文献１には、比較的軽量な合成樹脂製の梯子が開示されている。この合成樹脂製梯子は部品として側桁と横桟の間に打ち込み部材を介在させている。打ち込み部材は小径部、中間部、大径部を有し、大径部には凸リングが形成されており、構造が複雑であり、梯子の製作が簡単ではなく、製作費も嵩む。
【先行技術文献】
【特許文献】
【０００３】
【特許文献１】特許第２７６４５６８号公報
【考案の概要】
【考案が解決しようとする課題】
【０００４】
本考案は従来技術の有するこのような問題点に鑑みてなされたものであり、その目的とするところは、より軽量であって、製作（組立）が容易であり、しかも安価である合成樹脂製の梯子を提供することを目的とする。
【課題を解決するための手段】
【０００５】
上記目的を達成するために、本考案は、以下の手段を採用する。
［１］両側桁とその間に複数のパイプ状横桟を配置して構成した合成樹脂製梯子において、側桁は２つのフランジ部とウェブ部からなる断面コの字形であり、パイプ状横桟の先端部が側桁のウェブ部に形成された孔を貫通して側桁の２つのフランジ部の間に突出し、該突出するパイプ状横桟の先端部の内径に合致する外径を有した筒状の突出部を有するサイドキャップが、該サイドギャップの突出部がパイプ状横桟の先端部の内径に嵌合するように、パイプ状横桟の先端部に装着され、側桁、横桟およびサイドキャップがロッドピンにより固定されていることを特徴とする合成樹脂製梯子。
［２］前記の側桁とパイプ状横桟とサイドキャップとがＦＲＰ製であることを特徴とする［１］に記載の合成樹脂製梯子。
［３］前記パイプ状横桟の断面外周が菊形であることを特徴とする［１］又は［２］に記載の合成樹脂製梯子。
［４］前記パイプ状横桟の足掛け部にリング状の反射板を備えることを特徴とする［１］〜［３］のいずれかに記載の合成樹脂製梯子。
【考案の効果】
【０００６】
本考案の合成樹脂製梯子は、側桁の断面がコの字形とし、そしてサイドキャップをパイプ状横桟の先端部に装着して、ピンにより側桁とパイプ状横桟とサイドキャップとを固定したことにより軽量であり、構造が複雑でないから製造も容易であり、低コストである。
【図面の簡単な説明】
【０００７】
【図１】本考案の実施形態の一部破断正面図である。
【図２】図１のＡ−Ａ断面図を示す。
【図３】図１に示される梯子の組立図を示す。
【図４】サイドキャップの正面図（ａ）、側面図（ｂ）、底面図（ｃ）を示す。
【図５】外周が菊形の横桟の断面を示す。
【図６】反射体および外周が菊形の横桟を有する本考案の分解図を示す。
【図７】反射体が横桟に装着された梯子の要部を示す。
【考案を実施するための形態】
【０００８】
図面に基づいて、本考案の合成樹脂製梯子を説明する。
図１および図２において、１は側桁、２は足掛け用のパイプ状横桟、３はサイドキャップ、４はロッドピンである。これらの梯子の部材はいずれも合成樹脂材で製作することができる。
側桁１は、図２、図３に示すように、断面がコの字形の形材から製作され、ウェブ部１１と２つのフランジ部１２からなる。梯子の両側桁はウェブ部が対向するように配置される。側桁に断面がコの字形の形材を使用することにより、従来の側桁に使用されていた断面が矩形のパイプ状のものより軽量にすることができる。
【０００９】
横桟２はパイプ状であり、断面の内周が円形である（図５参照）。他方、断面の外周は円形としてもよいし、後述するように、外周に凹凸を形成した菊形の外周としてもよい（図５参照）。
【００１０】
サイドキャップ３は、図３、図４から分かるように、断面が矩形で周囲を４つの外周面（３１、・・・、３１）で囲われた蓋のない箱体形状であり、底面３２の中央部には筒状の突出部３３が該底面３２と一体的に形成されている。サイドキャップ３の対向する２組の外周面のうち、少なくとも１組の外周面間の外法寸法Ｗは、側桁の２つのフランジ１２の間にサイドキャップが収納できる寸法、すなわち、この２つのフランジ１２の間の内法寸法と等しいか、やや小さい寸法になっている。そして、この筒状の突出部３３は外径が横桟の内径と等しくなるように形成されており、したがって、後述するように、横桟２の先端部にサイドキャップ３の筒状の突出部３３を嵌合させることができるとともに、サイドキャップ３は側桁の２つのフランジ１２の間に収納されるように配置することができる（図２参照）。なお、サイドキャップ３の断面を正方形にすると、２組の外周面の外法寸法はいずれもＷとなる。
【００１１】
本考案の梯子においては、横桟２は側桁１のウェブ部１１に形成された孔（不図示）に挿通され、横桟２の先端部がウェブ部を貫通し、２つのフランジ１２、１２の間に突出する。そして、このフランジの間に突出した横桟２の先端部の内周面にサイドキャップ３の筒状の突出部３３を装入して嵌合させるとともに、サイドキャップの対向する外周面の１組が側桁１のフランジ１２、１２の間に収納されるように配置されて、サイドキャップ３は横桟２の先端部に装着される。突出部３３の高さは、図３では外周面３１の高さよりやや低いが、高くてもよい。
図１では、サイドキャップ３の底面３２が側桁１のフランジ部１２からはみ出しているが、サイドキャップの外周面３１の高さを低くして、側桁のフランジ部１２に隠れるようにすることもできる。
【００１２】
側桁の２つのフランジ部１２、１２と該側桁のフランジ部と対向するサイドキャップの２面３１、３１とサイドキャップの突出部３３、３３とには、ロッドピン４を挿通できる孔（不図示）を形成し、ロッドピン４を打ち込むことにより、側桁、横桟およびサイドキャップが固定される（図２参照）。
これらの部材に形成されるロッドピン４を挿通できる孔は、ロッドピン４とこれらの部材がきつめに嵌合するように形成されているので、これらの部材をしっかりと固定することができる。なお、ロッドピン４は合成樹脂などの材料で製作できる。
側桁の２つのフランジ間には複数のサイドキャップが所定の間隔で装入されているから、断面コの字形の側桁を補強する作用もしている。
【００１３】
側桁１、横桟２およびサイドキャップ３をＦＲＰ（繊維強化プラスチック）のような合成樹脂製とすることができる。ＦＲＰは軽量で強度の高い素材であり、この材料を使用することにより、梯子を軽量でかつ強度の高いものにすることができる。
図５に示すように、横桟２の断面外周を波形の凹凸を形成した菊形とすることができる。菊形とすることにより、梯子の上り下りの際にこの凹凸が滑り止めの作用をする。
【００１４】
また、図６、図７から分かるように、横桟の足掛け部にはリング状の反射体５を取り付けることができる。反射体５は、その内周面に凹凸状の反射部が形成されており、ポリカーボネート、アクリル樹脂、その他透明性の高い高分子材料から成形される。
貯水槽や防火槽は地下に設けられることが多く、反射体は僅かな光でも反射することができ、薄暗いところでも作業者に梯子に輪郭を視認させることができる。
反射体は、図７に示すように、横桟の足掛け部の両端に設けることが上り下りに支障がなく好ましい。なお、図７では、各部材の配置をわかりやすくするため、横桟の先端部における菊型を示す線は省略している。
【産業上の利用可能性】
【００１５】
本考案の合成樹脂製梯子は、軽量であり耐水性でもあるから貯水槽や防火槽などの清掃や点検の際に使用される梯子として好適であり、また構造も複雑でないから製造も容易である。
【符号の説明】
【００１６】
１：側桁
１１：ウェブ部
１２：フランジ部
２：パイプ状横桟
３：サイドキャップ
３１：サイドキャップの外周面
３２：サイドキャップの底面
３３：サイドキャップの突出部
４：ロッドピン
５：反射体
【図１】
0003204731.tif 000003
【図２】
0003204731.tif 000004
【図３】
0003204731.tif 000005
【図４】
0003204731.tif 000006
【図５】
0003204731.tif 000007
【図６】
0003204731.tif 000008
【図７】
0003204731.tif 000009